(57)【要約】【課題】  動物の肉体的、精神的な苦痛を和らげながら、口腔内を簡単に清掃することができる動物用歯ブラシを提供する。【解決手段】  開口部を有する袋状の指サック部２と、指サック部２の開口部の反対側の端部から、指サック部２の長手方向に突出するブラシ部３とを備える動物用歯ブラシ１。指サック部２を介して人の指の感覚を動物に与えながら、ブラシ部３によって動物の口腔内を速やかに清掃する。指サック部２とブラシ部３とを、指サック部２の表面に固着され、ブラシ部３の指サック部２への取付部から指サック部２の長手方向に延設された複数の足部４ａを有する接合部４によって接合できる。指サック部２を、生ゴム、合成ゴム、合成樹脂等で形成し、ブラシ部３を、指サック部２の端部に固定された部分から先端に向かって徐々に小径となる円錐状に形成し、全長を１５ｍｍ以上、４０ｍｍ以下程度とすることが好ましい。【選択図】  図１
2005192487.tif 000002
【特許請求の範囲】
【請求項１】
開口部を有する袋状の指サック部と、
該指サック部の前記開口部の反対側の端部から、該指サック部の長手方向に突出するブラシ部とを備えることを特徴とする動物用歯ブラシ。
【請求項２】
前記指サック部と前記ブラシ部とを、前記指サック部の表面に固着され、前記ブラシ部の前記指サック部への取付部から前記開口部に向かって、前記指サック部の長手方向に延設された複数の足部を介して接合することを特徴とする請求項１記載の動物用歯ブラシ。
【請求項３】
前記指サック部を、生ゴム、合成ゴム、合成樹脂から選択される一つの材料で形成したことを特徴とする請求項１または２記載の動物用歯ブラシ。
【請求項４】
前記ブラシ部を、前記指サック部の端部に固定された部分から先端に向かって徐々に小径となる円錐状に形成したことを特徴とする請求項１、２または３記載の動物用歯ブラシ。
【請求項５】
前記ブラシ部の全長を、１５ｍｍ以上、４０ｍｍ以下としたことを特徴とする請求項１乃至４のいずれかに記載の動物用歯ブラシ。
【発明の詳細な説明】
【技術分野】
【０００１】
本発明は、動物用歯ブラシに関し、特に、犬等の動物の歯を磨くにあたって、動物の肉体的、精神的な苦痛を和らげながら、容易に歯を磨くことのできる動物用歯ブラシに関する。
【背景技術】
【０００２】
従来、ペットとして飼われることの多い犬等の動物の口腔内を清掃するため、種々の動物用歯ブラシが提案されている。例えば、特許文献１には、人用の歯ブラシと略々同様の形状を有するものが記載されている。また、特許文献２には、左右両側の歯の表裏両面を同時に磨くことのできる電動歯ブラシが開示されている。さらに、特許文献３及び４には、人の手または指に装着することにより、動物等の口腔内を磨き易くした動物用歯ブラシが記載されている。
【０００３】
【特許文献１】実開平５−７４２５７号公報
【特許文献２】特開２０００−１６６４１５号公報
【特許文献３】実開平２−１１９０３０号公報
【特許文献４】特開平５−１０３５５９号公報
【発明の開示】
【発明が解決しようとする課題】
【０００４】
しかし、上記特許文献１に記載の動物用歯ブラシは、柄の部分が長いため、動きの激しい動物に対しては使いにくいとともに、動物用歯ブラシの作動にあたって力が入りにくいという問題があった。
【０００５】
また、特許文献２に記載の動物用歯ブラシでは、モータ音によって動物のストレスを助長し、歯が磨きにくくなるとともに、動物の噛みつきによる影響を受け易いという問題があった。
【０００６】
さらに、特許文献３及び４に記載の動物用歯ブラシでは、指サックの先端部または指袋の先端部にブラシ部を備えるため、動物の歯を磨くにあたって、指または手を動物の口腔内に深く入れる必要があり、動物のストレスを助長するとともに、歯を磨くのも容易ではないという問題があった。
【０００７】
そこで、本発明は、上記従来の動物用歯ブラシにおける問題点に鑑みてなされたものであって、動物の口腔内を簡単に清掃することのできる動物用歯ブラシを提供することを目的とする。
【課題を解決するための手段】
【０００８】
上記目的を達成するため、本発明は、動物用歯ブラシであって、開口部を有する袋状の指サック部と、該指サック部の前記開口部の反対側の端部から、該指サック部の長手方向に突出するブラシ部とを備えることを特徴とする。
【０００９】
そして、本発明によれば、指サック部を介して人の指の感覚を動物に与えながら、指サック部の長手方向に突出するブラシ部によって動物の歯を磨くため、動物の拒絶反応を押さえながら動物の口腔内を速やかに清掃することができる。
【００１０】
前記動物用歯ブラシにおいて、前記指サック部と前記ブラシ部とを、前記指サック部の表面に固着され、前記ブラシ部の前記指サック部への取付部から前記開口部に向かって、前記指サック部の長手方向に延設された複数の足部を介して接合することができる。
【００１１】
本発明によれば、複数の足部を介してブラシ部から動物の歯に加えられる力具合を敏感に感じることができ、微妙な力加減が要求される口腔内の清掃について理想的な動作が可能となるとともに、動物用歯ブラシの耐久性の向上にも繋がる。
【００１２】
また、前記指サック部を、生ゴム、合成ゴム、合成樹脂から選択される一つの材料で形成することができる。特に、指サック部を、生ゴム等の弾性を有する材料で形成することにより、人に近い皮膚感覚を得ることができ、歯を磨く際の動作を正確に行うことができ、衛生面でも優れる。
【００１３】
前記ブラシ部を、前記指サック部の端部に固定された部分から先端に向かって徐々に小径となる円錐状に形成することができる。これによって、動物の歯間へのブラシ部の挿入を容易に行うことができ、歯を磨く動作が容易になり、より短時間で清掃することができる。
【００１４】
また、前記ブラシ部の全長を、１５ｍｍ以上、４０ｍｍ以下とすることにより、動物にとって、歯を磨く際の違和感が少なくなるとともに、人の指先と動物の口腔内とが接近するため、歯を磨く動作が容易になり、より短時間で清掃することができる。
【発明の効果】
【００１５】
以上説明したように、本発明によれば、動物の拒絶反応を押さえながら、口腔内を簡単に清掃することができる動物用歯ブラシを提供することができる。
【発明を実施するための最良の形態】
【００１６】
図１及び図２は、本発明にかかる動物用歯ブラシの一実施の形態を示し、この動物用歯ブラシ１は、大別して、袋状の指サック部２と、多数の毛を植え込んだブラシ部３と、両者を接合するための接合部４とで構成される。
【００１７】
指サック部２は、生ゴム、合成ゴム、合成樹脂等の材料によって、開口部を有する袋状に形成される。この指サック部２は、動物に噛まれても人の皮膚以下の部分を損傷しにくい程度の厚さと柔軟性を備え、歯を磨く際の動物の動作を敏感に感じることのできる程度の厚さに形成する。
【００１８】
ブラシ部３は、指サック部２の開口部の反対側の端部から、指サック部２の長手方向に突出し、針金に捲き込まれたブラシをさらに捻り、１本のたわし状に形成される。ブラシ部３は、指サック部２の端部に固定された部分から先端に向かって徐々に小径となる円錐状に形成される。このブラシ部の全長を、１５ｍｍ以上、４０ｍｍ以下とすることが好ましい。尚、このブラシ部３は、上述のようなたわし状に限らず、スポンジを捻転したものや、平形ブラシ状に形成することもできる。また、ブラシ部３の全体形状は、上述のように、円錐状とすることが好ましいが、円筒状であってもよく、円錐状とした場合でも傾斜角度は図示のものに限定されない。
【００１９】
ブラシ部３に植え込まれた毛の材質については、動物の歯で噛み切られないように適度の強度と柔軟性を備えたものが好ましく、素材については、とうもろこし等から生成され、動物の体内に入っても動物に影響を与えず、自然に排泄され、環境に影響を与えないプラスチックや、手術縫合用の糸等が好適である。
【００２０】
接合部４は、指サック部２とブラシ部３とを接合するため、ブラシ部３の端部が固定される基部４ｂと、指サック部２の表面上で指サック部２の長手方向に延びる足部４ａとを備え、両者が接着剤で指サック部２に固定される。尚、足部４ａの本数は、上述の４本に限定されず、２本または３本あるいは５本以上とすることもでき、足部４ａの形状についても図示のものに限らず、指サック部２とブラシ部３とを確実に接合することができ、足部を介してブラシ部から動物の歯に加えられる力具合を敏感に感じることができればよい。
【００２１】
次に、上記構成を有する動物用歯ブラシ１の使用方法について、図３を参照しながら説明する。
【００２２】
指サック部２に人差し指５を挿入し、動物用歯ブラシ１を保持する。そして、動物の口を開け、接合部４を歯６の間に挿入し、動物用歯ブラシ１の長手方向にブラシ部を連続的に摺動させることによって歯を磨く。同図に示すように、犬等の動物の歯間は比較的広いため、円錐状のブラシ部３によって効率よく磨くことができる。
【図面の簡単な説明】
【００２３】
【図１】本発明にかかる動物用歯ブラシの一実施の形態を示す斜視図である。
【図２】図１の動物用歯ブラシを示す図であって、（ａ）は正面図、（ｂ）は上面図である。
【図３】図１の動物用歯ブラシの使用要領を示す斜視図である。
【符号の説明】
【００２４】
１     動物用歯ブラシ
２     指サック部
３     ブラシ部
４     接合部
４ａ   足部
４ｂ   基部
５     人差し指
６     動物の歯
【図１】
2005192487.tif 000003
【図２】
2005192487.tif 000004
【図３】
2005192487.tif 000005